(57)【要約】【課題】隙間等の暗い場所を使い勝手良く掃除することができる電気掃除機を提供することを目的とする。【解決手段】塵埃を吸引する開口部１４を有する吸込具本体１０と、吸込具本体１０に着脱自在な分離吸込具９とを備え、分離吸込具９には、分離吸込具９を吸込具本体１０に装着した状態で吸込具本体１０に覆われる位置に、分離吸込具９の前方に向かって光を照射する照明手段を配設したもので、隙間等の狭く暗い場所に光を照射しながら掃除を行うことができ、使い勝手を向上することができる。【選択図】図４
2014213029.tif 000002
【特許請求の範囲】
【請求項１】
塵埃を吸引する開口部を有する吸込具本体と、前記吸込具本体に着脱自在な分離吸込具とを備え、前記分離吸込具には、前記分離吸込具を前記吸込具本体に装着した状態で前記吸込具本体に覆われる位置に、前記分離吸込具の前方に向かって光を照射する照明手段を配設したことを特徴とする電気掃除機。
【請求項２】
分離吸込具の吸込具本体との接続部端面に凹部を設け、前記凹部に臨ませて照明手段を配設した請求項１記載の電気掃除機。
【請求項３】
吸込具本体に、分離吸込具の凹部に嵌まり込み、照明手段の外面を覆う凸部を形成した請求項２記載の電気掃除機。
【請求項４】
分離吸込具の吸気口に臨ませて発光源とレンズからなる照明手段を設け、前記レンズの前記吸気口に臨む面を、前記吸気口の周縁と略同一面もしくは吸気口側に突出するように配設した請求項１記載の電気掃除機。
【請求項５】
レンズとレンズ周縁との間からの塵埃の侵入を防止する塵埃侵入防止手段を設けた請求項４記載の電気掃除機。
【請求項６】
照明手段の発光源を実装するプリント基板を、略密閉されたプリント基板収納部に配設した請求項１記載の電気掃除機。
【請求項７】
分離吸込具の照明手段下方位置に緩衝材を配設した請求項１〜６記載の電気掃除機。
【発明の詳細な説明】
【技術分野】
【０００１】
本発明は、吸込具本体から着脱自在な分離吸込具を有した吸込具において、分離吸込具に照明手段を設けた電気掃除機に関するものである。
【背景技術】
【０００２】
従来、家具の隙間やベッドの下等の暗い場所を掃除する際に、床用吸込具の前方に光を照射する照明手段を延長管と床用吸込具との間に接続した電気掃除機が提案された（例えば、特許文献１）。
【先行技術文献】
【特許文献】
【０００３】
【特許文献１】特開２００８−１６１４７２号公報
【発明の概要】
【発明が解決しようとする課題】
【０００４】
しかしながら、前記従来の構成では、延長管の先端に照明手段を有する補助清掃体を接続しているため、照明手段は、延長管の延長方向しか照明することができず、家具の隙間やベッドの下等を掃除する際に、延長管を回転させた状態では、床用吸込具の操作方向を照明することができない問題を有していた。
【０００５】
本発明は、前記従来の課題を解決するもので、家具の隙間等の暗い場所を使い勝手良く掃除することができる電気掃除機を提供することを目的とする。
【課題を解決するための手段】
【０００６】
前記従来の課題を解決するために、塵埃を吸引する開口部を有する吸込具本体と、前記吸込具本体に着脱自在な分離吸込具とを備え、前記分離吸込具には、前記分離吸込具を前記吸込具本体に装着した状態で前記吸込具本体に覆われる位置に、前記分離吸込具の前方に向かって光を照射する照明手段を配設したことを特徴とする。
【発明の効果】
【０００７】
本発明の電気掃除機は、家具の隙間等の暗い場所に光を照射しながら掃除を行うことができ、使い勝手を向上することができる。
【図面の簡単な説明】
【０００８】
【図１】本発明の第１の実施の形態における電気掃除機の外観斜視図
【図２】同電気掃除機の床用吸込具の分離吸込具を分離した状態の外観斜視図
【図３】同電気掃除機の分離吸込具の外観斜視図
【図４】同電気掃除機の床用吸込具の断面図
【図５】同電気掃除機の分離吸込具の分解斜視図
【図６】同電気掃除機の分離吸込具の分解斜視図
【発明を実施するための形態】
【０００９】
第１の発明は、塵埃を吸引する開口部を有する吸込具本体と、前記吸込具本体に着脱自在な分離吸込具とを備え、前記分離吸込具には、前記分離吸込具を前記吸込具本体に装着した状態で前記吸込具本体に覆われる位置に、前記分離吸込具の前方に向かって光を照射する照明手段を配設したことにより、分離吸込具によって隙間等の暗い場所に光を照射しながら掃除を行うことができる。分離吸込具の前方に向かって光を照射するので、延長管
の角度に係りなく、掃除方向を照明することができる。分離吸込具を吸込具本体に装着した状態で、照明手段が吸込具本体によって覆われるので、吸込具本体による掃除中に照明手段が障害物に当接することがなく、照明手段の損傷を抑制することができる。
【００１０】
第２の発明は、第１の発明において、分離吸込具の吸込具本体との接続部端面に凹部を設け、前記凹部に臨ませて照明手段を配設したことにより、分離吸込具による掃除中に照明手段の外面が傷付くのを防止することができると共に、照明手段への衝撃を低減することができ、照明手段の信頼性を向上することができる。
【００１１】
第３の発明は、第２の発明において、分離吸込具の凹部に嵌まり込み、照明手段の外面を覆う凸部を吸込具本体に形成したことにより、凸部により照明手段の外面が傷付くのを防止することができる。
【００１２】
第４の発明は、第１の発明において、分離吸込具の吸気口に臨ませて発光源とレンズからなる照明手段を設け、前記レンズの前記吸気口に臨む面を、前記吸気口周縁と略同一面もしくは前記吸気口側に突出するように配設したことにより、レンズの外面とレンズの周縁に細塵が溜まるのを防止できると共に、レンズ外面が汚れた場合には、容易に掃除することができる。また、掃除の際の吸引気流により、レンズ外面を掃除することができる。
【００１３】
第５の発明は、第４の発明において、レンズとレンズ周縁との間からの塵埃の侵入を防止する塵埃侵入防止手段を設けたことにより、光源側への塵埃の侵入を防止することができ、照明手段の輝度が低下するのを抑制することができる。
【００１４】
第６の手段は、第１の発明において、照明手段の発光源を実装するプリント基板を、略密閉されたプリント基板収納部に配設したことにより、照明手段への塵埃侵入を防止することができると共に、静電気による誤動作を低減することができる。
【００１５】
第７の手段は、第１〜第６の発明において、分離吸込具の照明手段下方位置に緩衝材を配設したことにより、分離吸込具によって掃除を行う際の照明手段への衝撃を低減することができ、照明手段の信頼性を向上することができる。
【００１６】
以下、本発明の実施の形態について、図面を参照しながら説明する。なお、この実施の形態によって本発明が限定されるものではない。
【００１７】
（実施の形態１）
図１は、本発明の第１の実施例の形態における電気掃除機１の外観斜視図、図２は、本発明の第１の実施例の形態における床用吸込具３の分離吸込具９を分離した状態を示す外観斜視図である。
【００１８】
図１において、床移動型の電気掃除機１は、掃除機本体２と、掃除機本体２にホース継ぎ手７が接続されるホース６と、ホース６の手元ハンドル５に接続される延長管４と、延長管４に接続される床用吸込具３とから構成されている。
【００１９】
床用吸込具３は、吸込具本体１０と、吸込具本体１０の略中央後方部に着脱自在に装着される分離吸込具９から構成され、分離吸込具９には接続管８が上下及び左右方向に回動自在に支持されており、接続管８が延長管４に着脱自在に接続される。分離吸込具９は、分離吸込具着脱手段１１を足などで踏み込むことにより吸込具本体１０から離脱でき、分離吸込具９を吸込具本体１０の装着部に合わせた状態で押し込むことにより装着可能となっている。吸込具本体１０の分離吸込具９装着部には、分離吸込具９を装着した状態で、下面吸気口１３に嵌まり込む凸部１９が形成されている。
【００２０】
図３は、本発明の第１の実施例の形態における分離吸込具９の外観斜視図、図４は、本発明の第１の実施例の形態における床用吸込具３の断面図である。
【００２１】
図２〜４において、分離吸込具９には、前方開口の先端吸気口１２と下方開口の下面吸気口１３が設けられ、先端吸気口１２と下面吸気口１３が連続して前方から下方にわたって開口している。分離吸込具９は吸込具本体１０に装着した状態では、下面吸気口１３が凸部１９により閉塞された状態となっている。
【００２２】
吸込具本体１０には、下面前方に左右方向に開口された開口部１４が設けられ、吸込具本体１０内には、開口部１４に連通して吸気室１６が形成されている。吸気室１６には、開口部１４に臨ませて回転ブラシ１５が配設され、回転ブラシ１５は駆動源であるモーター（図示せず）により回転駆動される。吸気室１６の略中央部には、吸気口１７が設けられており、吸気口１７は、吸込具本体１０に装着された状態の分離吸込具９の先端吸気口１２に連通している。
【００２３】
分離吸込具９には、下面吸気口１３に臨ませて、分離吸込具９の前方に向かって光を照射する照明手段が配設されている。
【００２４】
図５及び図６に示すように、吸気通路を形成する内管２３と下カバー２４との間にプリント基板２１が挟持されている。プリント基板２１は、内管２３と下カバー２４に形成した遮壁２５にて構成されるプリント基板収納部に略密閉的に隔離されている。下カバー２４の外郭底面には、起毛布２７が配設されている。
【００２５】
プリント基板２１には照明手段が配設されている。プリント基板２１上にＬＥＤ２２が実装され、ＬＥＤ２２の先端には、レンズ１８が被せられており、レンズ１８は下面吸気口１３に臨ませて下面吸気口１３周縁２０と略同一面もしくは下面吸気口１３周縁２０より下面吸気口１３側へ少許突出するように形成されている。ＬＥＤ２２には、ＬＥＤ２２外周を覆うようにウレタンフォームで形成された塵埃侵入防止体２６が圧入されており、塵埃侵入防止体２６の前端をレンズ１８の端面とレンズ１８周縁の分離吸込具９に密接させ、レンズ１８とレンズ１８周縁との間から塵埃が侵入するのを防止している。
【００２６】
以上のように構成された電気掃除機について、以下その動作、作用を説明する。
【００２７】
掃除機本体２に、ホース６及び延長管４を介して床用吸込具３を接続し、掃除機本体２の電動送風機及び床用吸込具３のモーターを駆動して、被掃除面の塵埃を掻き上げながら吸引し、掃除を行う。
【００２８】
家具間の隙間等の狭い場所を掃除する際には、分離吸込具着脱手段１１を足などで踏みながら延長管４を持ち上げることにより、分離吸込具９を吸込具本体１０から分離して掃除を行う。家具間の隙間等の狭く暗い場所を掃除する際には、分離吸込具９を吸込具本体１０から分離した状態で、照明手段のＬＥＤ２２を点灯させ、被掃除面を照らしながら掃除を行う。
【００２９】
分離吸込具９の前方位置を照らす照明手段を配設することにより、延長管４の角度に係りなく、被掃除面の掃除する方向を常時安定的に照明することができる。
【００３０】
分離吸込具９の下面吸気口１３に臨ませて照明手段を配設しているので、照明手段のレンズ１８に被掃除面等が接触することがなく、掃除中にレンズ１８の外面が傷付くのを防止すると共に、照明手段への衝撃低減ができ、照明手段の信頼性を向上できる。
【００３１】
吸込具本体１０に分離吸込具９を装着した状態では、吸込具本体１０の分離吸込具９装着部に形成した凸部１９が下面吸気口１３に嵌まり込む。この状態では、凸部１９の上面が分離吸込具９内の吸気通路の下面と略同等の高さとなると共に、分離吸込具９の下面吸気口１３周縁２０が凸部１９に近接して対向する。
【００３２】
吸込具本体１０に分離吸込具９を装着した状態では、照明手段のレンズ１８が凸部１９により覆われるので、吸込具本体１０によって掃除をする際に、吸引したゴミ等によりレンズ１８の外面が傷つくのを防止することができる。また、凸部１９の上面が分離吸込具９内の吸気通路の下面と略同等の高さとなると共に、分離吸込具９の下面吸気口１３周縁２０が凸部１９に近接して対向するので、吸気通路内部の段差及び分離吸込具９の吸気通路と凸部１９との間の隙間を少なくすることができ、吸込気流をスムーズに通過させて乱流の発生を抑制することができ、騒音の低減と集塵性を向上できる。
【００３３】
レンズ１８の外面を下面吸気口１３周縁２０と略同一面もしくは下面吸気口１３周縁２０より下面吸気口１３側へ少許突出するように形成することにより、レンズ１８の外面及びレンズ１８の外面と下面吸気口１３周縁２０との間に細塵が溜まるのを防止できると共に、表面に細塵が付着した場合には、使用者が容易に掃除することができる。また、分離吸込具９により掃除中を行う際の吸込気流により、レンズ１８の外面を付着する塵埃等を掃除することができる。
【００３４】
また、プリント基板２１を遮壁２５にて略密閉されたプリント基板収納部に配設することにより、照明手段内部への塵埃侵入を防止することができる共に、静電気による誤動作を低減できる。
【００３５】
ＬＥＤ２２の外周を覆うように塵埃侵入防止体２６の一端側を圧入し、塵埃侵入防止体２６の他端側をレンズ１８とレンズ１８周縁の分離吸込具９に密接させているので、レンズ１８とレンズ１８周縁との間からＬＥＤ２２側に塵埃が侵入するのを防止することができ、照明手段の輝度が低下するのを防止することができる。
【００３６】
照明手段の下方に位置する下カバー２４の外郭底面に、緩衝材として起毛布２７を配設しているので、分離吸込具９により掃除を行う際の照明手段への衝撃を低減することができ、照明手段の信頼性を向上できる。
【００３７】
分離吸込具９を吸込具本体１０から容易に分離することができ、分離した状態で分離吸込具９によって照明手段により狭く暗い場所を照らしながら掃除することができ、使用勝手よく掃除することができる。
【００３８】
本実施の形態では、照明手段を下面吸気口１３に臨ませて形成したが、分離吸込具９の前方に向かって光を照射でき、分離吸込具９を吸込具本体１０に装着した状態で照明手段が吸込具本体１０により覆われる位置であれば他の位置でもよく、例えば、分離吸込具９の先端位置に設けてもよい。
【産業上の利用可能性】
【００３９】
以上のように、本発明にかかる電気掃除機は、隙間等の暗い場所を照らしながら使い勝手よく掃除することができるので、家庭用だけでなく業務用の電気掃除機等の用途にも適用出来る。
【符号の説明】
【００４０】
９  分離吸込具
１０  吸込具本体
１８  レンズ
２２  ＬＥＤ
【図１】
2014213029.tif 000003
【図２】
2014213029.tif 000004
【図３】
2014213029.tif 000005
【図４】
2014213029.tif 000006
【図５】
2014213029.tif 000007
【図６】
2014213029.tif 000008